(57)【特許請求の範囲】
【請求項１】
天井面に設置された係止段を有する配線器具に挿通する挿通孔を有し、前記挿通孔の内周面に凹部を有し、前記凹部に進退自在に収納されて進出により前記係止段に係止する係止片を有する器具ホルダを備え、
前記係止片はその両側部の上面が中央部より低くなるように、前記係止片の前記中央部の厚みを前記係止片の前記両側部よりも厚くし、
前記凹部内の上面はその両側部が中央部よりも低く突出して、前記器具ホルダの上面と前記凹部内の上面との間の前記両側部の肉厚が前記中央部よりも大きく、
前記係止片の前記両側部のみが前記凹部内の上面の前記両側部に支持されている照明器具取付装置。
【請求項２】
前記係止片はその上面の前記中央部と前記両側部とが段を介して連続し、前記凹部内の上面において、前記係止片の前記両側部を支持する前記両側部と前記係止片の前記中央部に対向する前記中央部とを段を介して連続した請求項１記載の照明器具取付装置。
【請求項３】
前記係止片はその上面の前記中央部と前記両側部とが傾斜面で連続し、前記凹部内の上面において、前記係止片の前記両側部を支持する前記両側部と前記係止片の前記中央部に対向する前記中央部とを傾斜面で連続し、前記係止片の前記傾斜面が前記凹部内の前記傾斜面と接触している請求項１記載の照明器具取付装置。
【発明の詳細な説明】
【０００１】
【発明の属する技術分野】
この発明は、引掛シーリングボディ等の配線器具への照明器具取付装置に関するものである。
【０００２】
【従来の技術】
従来例（例えば特開平7-37412 号、同7-37413 号、実開平5-57718 号、実登録第2577174 号等) の照明器具取付装置は、例えば図８に示すように、天井面１００に設置された引掛シーリングボディ１０１の係止段１０２に、器具本体の器具ホルダ１０３に設けられた係止片１０４を係止させることによって器具本体を引掛シーリングボディ１０１に取付けている。
【０００３】
係止片１０４は、その係止爪１０５が係止段１０２に対して係脱するように進退自在に器具ホルダ１０３内に収納され、ばね１０６で係止爪１０５を進出方向に付勢している。このとき、係止片１０４は器具ホルダ１０３の開口１０７の内周面で摺動自在に支持され、器具重量が開口１０７の天井側の平面１０８と係止片１０４の上面の平面との面接触によって支えられている。
【０００４】
【発明が解決しようとする課題】
器具ホルダ１０３に設けられた係止爪１０４の係止段１０２の係止面から器具ホルダの天井側端面までの距離Ｈ1 は、係止面から天井面までの距離Ｈ2 以下となる。逆であれば、係止段１０２と係止爪１０４が係止する前にホルダ端面が天井に当たり、取付けできない。つまり、この距離Ｈ1 が係止爪１０４の厚さＨ3とホルダ面の厚さＨ4 の合計である。係止爪１０４は係止段１０２への係止性の点から、すなわち引掛シーリングボディへの挿入時に係止片１０４がスライドしやすいようにテーパ１０５ａが必要であり、ある程度の厚さが必要である。テーパ１０５ａが小さいと照明器具の大きな挿入力が必要となる。一方係止片１０４が厚くすると、係止爪１０４を支えるホルダ面の板厚が十分にとれずに強度不足となり、そのため大きな重量の器具を取付けることができず、器具重量に耐えられず、破壊し器具が落下する。また荷重を広い平面で受けているため、端部１０８ａに大きなモーメントが加わり破壊しやすい。また係止片１０４の上面全体で器具ホルダ１０３の平面１０８に当接していることから、摩擦抵抗が大きくなり、係止片１０４の解錠操作性が悪くなる。
【０００５】
したがって、この発明の目的は、器具取付の引掛シーリングボディ等への挿入性はそのままで、重量の大きな器具の取付けができる照明器具取付装置を提供することである。
【０００６】
【課題を解決するための手段】
請求項１記載の照明器具取付装置は、天井面に設置された係止段を有する配線器具に挿通する挿通孔を有し、前記挿通孔の内周面に凹部を有し、前記凹部に進退自在に収納されて進出により前記係止段に係止する係止片を有する器具ホルダを備え、
前記係止片はその両側部の上面が中央部より低くなるように、前記係止片の前記中央部の厚みを前記係止片の前記両側部よりも厚くし、
前記凹部内の上面はその両側部が中央部よりも低く突出して、前記器具ホルダの上面と前記凹部内の上面との間の前記両側部の肉厚が前記中央部よりも大きく、
前記係止片の前記両側部のみが前記凹部内の上面の前記両側部に支持されているものである。
【０００７】
請求項１記載の照明器具取付装置によれば、器具ホルダが係止片の両側部で支えられるため、器具ホルダの厚さを全体的に大きくすることなく、取付強度を向上でき、重量の大きな照明器具の取付けが可能となる。また係止片と器具ホルダとの接触面積を小さくできるため、摩擦が小さくなり、解錠操作性がよくなる。
また係止片の中央部の厚さを大きくできるので係止段への係止のためのテーパを大きくでき、係止段を有する引掛シーリングボディ等への器具の挿入性が良好になる。
【００１０】
請求項２記載の照明器具取付装置は、請求項１において、前記係止片はその上面の前記中央部と前記両側部とが段を介して連続し、前記凹部内の上面において、前記係止片の前記両側部を支持する前記両側部と前記係止片の前記中央部に対向する前記中央部とを段を介して連続したものである。
【００１１】
請求項２記載の照明器具取付装置によれば、請求項１と同様な効果がある。
【００１２】
請求項３記載の照明器具取付装置は、請求項１において、前記係止片はその上面の前記中央部と前記両側部とが傾斜面で連続し、前記凹部内の上面において、前記係止片の前記両側部を支持する前記両側部と前記係止片の前記中央部に対向する前記中央部とを傾斜面で連続し、前記係止片の前記傾斜面が前記凹部内の前記傾斜面と接触しているものである。
【００１３】
請求項３記載の照明器具取付装置によれば、請求項１と同様な効果のほか、角部への応力集中を小さくでき破損防止になる。
【００１６】
【発明の実施の形態】
この発明の第１の実施の形態を図１から図５により説明する。すなわち、この照明器具取付装置は、まず図５に示すように、天井面１に設置された配線器具例えば引掛シーリングボディ２の係止段３に、器具ホルダ４に設けられた係止片５を係止させることによって器具本体６を引掛シーリングボディ２に取付けるものである。器具ホルダ４は器具本体６の中央開口に設けられる。図５において、７は器具本体６の点灯装置に接続され、器具ホルダ４を通る引掛シーリングボディ２の引掛孔２ａに引っ掛けるプラグ、８は器具本体６の下面に設けられた本体カバー、９は器具本体６に設けられたランプ支持ばね（図示せず）に支持されランプソケット（図示せず）に接続された環形の２本の蛍光ランプ、１０は蛍光ランプ９を被覆して器具本体６の下面に取付けられたグローブである。
【００１７】
器具ホルダ４は、係止片５が係止段３に係止した状態で係止片５の両側部で支持されるように構成している。すなわち、器具ホルダ４は器具本体６の中央に取付具（図示せず）により取付けられ、図４に示すように中央に引掛シーリングボディ２を貫通する嵌合部となる挿通孔１１を形成している。挿通孔１１の両側で器具ホルダ４の下面および挿通孔１１の内周面に開口した凹部１２が形成され、下面からみた凹部１２の底面２３の両側に挿通孔１１の径方向に延びた一対の突条部１３を段設し、凹部１２の下面側開口にカバー１４を取付けて係止片５の挿通孔径方向の先端の係止爪１８のみを突出させる開口を残している。これにより、係止片５が支えるホルダ面の厚み、すなわち器具ホルダ４の突条部１３の部分の厚みＬ1 （図１参照）を、突条部１３の分だけ突条部１３間の中央部分の厚さＬ2 よりも厚くするとともに、係止片５の両側部に対応する突条部１３と中央側とを階段状に不連続に変化させている。カバー１４は下面側に係止片５の操作つまみ用開口１５を形成している。
【００１８】
係止片５は横片１６と縦片１７からなる略逆Ｌ字形をなし、横片１６は上面の両側部１６ａが図１に示すように中央部よりも厚さが薄く形成され、先端が図４に示すように挿通孔１１の円周面と同じ曲率の円弧面に形成され、その上側にテーパ面を形成して係止爪１８を形成している。これにより、係止片５の厚みを、係止片５の両端部よりも中央側を厚くしている。縦片１７は取付解除レバー部となるもので、横片１６から離れるほど肉薄に形成され係止爪１８に向いた面は凹曲面に形成しその表面は操作指が当たる滑り止め用凹凸１９を形成している。縦片１７の係止爪１８と反対側にばね受け２０および横片１６と平行な突出部２１を設けている。この係止片５の縦片１７をカバー１４の開口１５に通して、横片１６の係止爪１８側の下面および突出部２１の下面をカバー１４に当接し、カバー１４をホルダ４の開口に取付けることによって、係止爪１８をカバー１４と凹部１２の底面２３との間にスライド自在に通した状態にする。この際、横片１６の両側部１６ａを突条部１３に当接し、横片１６の中央部と底面２３の突条部１３間の部分との間は寸法関係により隙間２６（図１参照）を形成して、係止片５の中央では荷重が加わらないようにしている。またカバー１４を凹部１２の開口に取付ける際に、係止片５のばね受け部２０と凹部１２の挿通孔１１側からみた底部との間にたとえばコイルばねを用いたばね２４を圧縮介在して係止片５の係止爪１８を挿通孔１１内に突出付勢している。
【００１９】
この器具ホルダ４を取付けた器具本体６を図５に示すように引掛シーリングボディ２に押し込むと、器具ホルダ４から挿通孔１１内に突出している係止爪１８のテーパ面が係止段３に当たり器具本体６の押上力に応じて係止爪１８のテーパ面が係止段３をスライドしてばね２４に抗して後退し、係止爪１８が係止段３の上側に位置するとばね２４の復元力により係止爪１８が突出し、係止段３の上面に係止爪１８の下面が係止する。器具本体６の押上力を離すと自重により器具本体６とともに器具ホルダ４が下がり突条部１３が係止片５の両側に当接し支持される。引掛シーリングボディ２から照明器具を外す場合は、縦片１７をばね２４に抗して引くと係止爪１８が係止段３から外れるので照明器具を外すことができる。
【００２０】
この実施の形態によれば、照明器具の器具ホルダ４の厚さを大きくすることなく、取付強度を向上でき、重量の大きな照明器具の取付けが可能となる。また係止片５と器具ホルダ４との接触面積が小さくなるため、摩擦が小さくなり、解錠操作性がよくなる。具体的には、器具ホルダ４の係止片５からの荷重を受ける面に突条部１３により段を設け、それに対応した段を係止片５の両側部１６ａにも設けたことにより、器具ホルダ４の板厚の大きい突出部１３にて荷重を受けることができる。このため、器具重量の大きい照明器具の取付けが可能となる。また係止片５の中央部の板厚は大きいため、係止片５の後退動作に必要なテーパ面を大きくとることができるので、取付挿入性は損なわれない。
【００２１】
この発明の第２の実施の形態を図６および図７により説明する。この照明器具取付装置は、第１の実施の形態において、器具ホルダ４の係止片５を支えるホルダ面の厚みを、係止片５の両側部１６ａと中央側とを連続に変化させたものであり、その他は第１の実施の形態と同様である。
【００２２】
具体的には、突条部１３を垂直面ではなく突条部１３の間の部分に向けて低くなる傾斜面１３ａに形成し、この傾斜面に面接触で当接するように係止片５の両側部１６ａの表面を傾斜面に形成している。このように、両側部から中央側を連続に変化させたことにより、第１の実施の形態のような段差よりも器具ホルダ４に加わる角部２８ａ、２８ｂへの応力集中が小さくできるので強度的に有利である。
【００２３】
なお、上記の配線器具は引掛シーリングボディ２であったが、例えば引掛シーリングボディに電気的・機械的に接続されたアダプタとしてもよく、その係止段に器具ホルダの係止爪を係止して、照明器具を引掛シーリングボディに間接的に取付けることでもよい。
【００２４】
また、係止段はつばにより形成しているが、形状は他のものでもよく、例えば凸部でもよく、または周溝等でもよい。
【００２５】
【発明の効果】
請求項１記載の照明器具取付装置によれば、器具ホルダが係止片の両側部で支えられるため、器具ホルダの厚さを全体的に大きくすることなく、取付強度を向上でき、重量の大きな照明器具の取付けが可能となる。また係止片と器具ホルダとの接触面積を小さくできるため、摩擦が小さくなり、解錠操作性がよくなる。
また係止片の中央部の厚さを大きくできるので係止段への係止のためのテーパを大きくでき、係止段を有する引掛シーリングボディ等への器具の挿入性が良好になる。
【００２７】
請求項２記載の照明器具取付装置によれば、請求項１と同様な効果がある。
【００２８】
請求項３記載の照明器具取付装置によれば、請求項１と同様な効果のほか、角部への応力集中を小さくでき破損防止になる。
【図面の簡単な説明】
【図１】この発明の第１の実施の形態の器具ホルダの中央断面図である。
【図２】そのＡ−Ａ′断面図である。
【図３】係止片を示し、（ａ）は正面図、（ｂ）は側面図、（ｃ）は斜視図である。
【図４】器具ホルダの分解斜視図である。
【図５】照明器具の分解斜視図である。
【図６】（ａ）は第２の実施の形態の器具ホルダの中央断面図、（ｂ）はそのＢ−Ｂ′断面図である。
【図７】その係止片を示し、（ａ）は正面図、（ｂ）は側面図、（ｃ）は斜視図である。
【図８】（ａ）は引掛シーリングボディに係止した従来例の器具ホルダの断面図、（ｂ）はその器具ホルダの断面図である。
【符号の説明】
１    天井面
２    引掛シーリングボディ
３    係止段
４    器具ホルダ
５    係止片
６    器具本体
１１    挿通孔
１２    凹部
１３    突条部
１４    カバー
１６    横片
１６ａ    両側部
１７    縦片
１８    係止爪
２４    ばね
２６    隙間
【図１】
0003784565.tif 000002
【図２】
0003784565.tif 000003
【図３】
0003784565.tif 000004
【図４】
0003784565.tif 000005
【図５】
0003784565.tif 000006
【図６】
0003784565.tif 000007
【図７】
0003784565.tif 000008
【図８】
0003784565.tif 000009